(57)【要約】【課題】表示された図形と背景との境界や図形中の色彩または模様間の境界が明確で図形輪郭がはっきりしているとともに、図形表示部分がめくれることなく耐久性の高い図形表示パネルの提供を目的とする。【解決手段】図形表示パネル１は、所定図形４を囲む背景の平面形状を表わして形成された背景板部３と、背景板部３に囲まれた所定図形４の全体輪郭に対応して形成された凹溝部６と、所定図形４を分割して形成された部分図形板部Ｐ１〜Ｐ２９とを備えて成り、部分図形板部Ｐ１〜Ｐ２９が凹溝部６の底面２Ａに敷き詰められて接着剤５で固着されるとともに、部分図形板部Ｐ１〜Ｐ２９はそれぞれの上面ＰＢが背景板部３の上面３Ｂとほぼ同じ高さに配置されている。背景板部３および部分図形板部Ｐ１〜Ｐ２９はメラミン樹脂製板材で構成されている。【選択図】図１
2020192685.tif 000002
【特許請求の範囲】
【請求項１】
所定の図形を囲む背景の平面形状を表わして形成された背景板部と、
前記背景板部に囲まれた前記所定図形の全体輪郭に対応して形成されていて前記背景板部よりも下向きに陥入した凹溝部と、
前記所定図形を複数に分割した部分図形をそれぞれ表わして形成された複数の部分図形板部と、を備えて成り、
前記複数の部分図形板部が前記凹溝部の底面に敷き詰められて接着剤で固着されるとともに、前記複数の部分図形板部はそれぞれの上面が前記背景板部の上面とほぼ同じ高さに配置されていることを特徴とする図形表示パネル。
【請求項２】
前記背景板部および前記複数の部分図形板部が、メラミン樹脂製板材で構成されていることを特徴とする請求項１に記載の図形表示パネル。
【請求項３】
前記部分図形板部を前記凹溝部の底面に固着する接着剤が、前記部分図形板部の下面に５０μｍ以上５００μｍ以下の厚さに塗布された接着剤であることを特徴とする請求項１または請求項２に記載の図形表示パネル。
【請求項４】
前記複数の部分図形板部が、前記背景板部の内周壁側から前記凹溝部の平面中央に向かって順次敷き詰められることを特徴とする請求項１から請求項３のいずれか一項に記載の図形表示パネル。
【発明の詳細な説明】
【技術分野】
【０００１】
本発明は、キャラクターなどの図形が表わされていて、例えば机やテーブルの天板、間仕切りの竪パネル、ドアパネル、看板などに使用される図形表示パネルに関するものである。
【背景技術】
【０００２】
従来、この種の図形表示パネルとしては、例えば合成樹脂板の表面に図形を直に印刷したものが知られている。
あるいは、図５（ｃ）に示すような図形表示パネル５１も知られている。この図形表示パネル５１は、表面に図形が印刷され裏面に粘着剤層５５が設けられた粘着シール５３を、基板部２の上面２Ａに貼り付けたものであり、下記の特許文献１に同様のものが記載されている。
【先行技術文献】
【特許文献】
【０００３】
【特許文献１】特開平１−２２１２２５号公報
【発明の概要】
【発明が解決しようとする課題】
【０００４】
ところで、上記のように図形が合成樹脂板に直に印刷された図形表示パネルでは、印刷図形の色彩または模様の境界や当該図形と背景との境界が明確でなく、図形の輪郭がぼやけることが多々ある。
一方、図５（ｃ）に記載されたような基板部２の上面２Ａに粘着シール５３を貼着された図形表示パネル５１は、粘着シール５３の外周壁５３Ａが剥き出しのままであるので、その外周壁５３Ａに外部の物が当たって粘着シール５３が剥がれてしまうことがあった。
【０００５】
本発明は、上記した従来の問題点に鑑みてなされたものであって、表示された図形と背景との境界や図形中の色彩または模様間の境界が明確で図形輪郭がはっきりしているとともに、図形表示部分がめくれることなく耐久性の高い図形表示パネルの提供を目的とする。
【課題を解決するための手段】
【０００６】
上記目的を達成するために、本発明に係る図形表示パネルは、所定の図形を囲む背景の平面形状を表わして形成された背景板部と、背景板部に囲まれた所定図形の全体輪郭に対応して形成されていて背景板部よりも下向きに陥入した凹溝部と、所定図形を複数に分割した部分図形をそれぞれ表わして形成された複数の部分図形板部と、を備えて成り、複数の部分図形板部が凹溝部の底面に敷き詰められて接着剤で固着されるとともに、複数の部分図形板部はそれぞれの上面が背景板部の上面とほぼ同じ高さに配置されていることを特徴とする構成にしてある。
【０００７】
また、前記構成において、背景板部および複数の部分図形板部が、メラミン樹脂製板材で構成されていることを特徴とするものである。
【０００８】
そして、前記した各構成において、部分図形板部を凹溝部の底面に固着する接着剤の厚さが、５０μｍ以上５００μｍ以下であることを特徴とするものである。
【０００９】
更に、前記した各構成において、複数の部分図形板部が、背景板部の内周壁側から凹溝部の平面中央に向かって順次敷き詰められることを特徴とするものである。
【発明の効果】
【００１０】
本発明に係る図形表示パネルによれば、複数の部分図形板部が凹溝部の底面に敷き詰められて接着剤で固着されるとともに、複数の部分図形板部がそれぞれの上面を背景板部の上面とほぼ同じ高さにして配置されるので、所定図形および背景があたかも１枚物に描かれているような外観を呈することができる。また、所定図形の最外郭縁を成す部分図形板部は背景板部の内周壁で被われるので、所定図形の最外郭縁に外部の物が接触干渉することがなく、部分図形板部さらには背景板部の剥離を防止して見栄えが長持ちするパネルを提供できる。また、各部分図形板部の間および各部分図形板部と背景板部の内周壁との間は、分断されているので、各部分図形板部で区画された同種の色彩や模様をはっきりと認識できるとともに、くっきりとした所定図形を視認できる。
【００１１】
また、背景板部および複数の部分図形板部がメラミン樹脂製板材で構成されているものでは、表面硬度が高く上面が傷つきにくく耐久性の高い図形表示パネルが得られる。また、個々の部分図形板部および背景板部が硬いので、耐衝撃性が高く、個々の部分図形板部が曲がったり剥がれたりすることを抑止できる。
【００１２】
そして、接着剤の厚さが５０μｍ以上５００μｍ以下のものでは、凹溝部への部分図形板部の接着を十分な強度で確実に行なうことができ、段差などを生じない見栄えのよい図形表示パネルを提供できる。すなわち、接着剤の厚さが５０μｍ未満の場合は、部分図形板部と凹溝部との接着に必要な接着剤の絶対量が不足するから、経時使用中に部分図形板部の剥離を生じやすくなる。逆に、接着剤の厚さが５００μｍを超える場合は、凹溝部への部分図形板部の圧着時に接着剤が上面にはみ出して見苦しくなったり、時間経過による溶剤の揮発量が多くなって接着剤層が肉痩せし部分図形板部の上面と背景板部の上面との間に段差を生じたりするおそれがある。
【００１３】
更に、複数の部分図形板部が背景板部の内周壁側から凹溝部の平面中央に向かって順次敷き詰められるものでは、所定図形の最外郭縁に位置する部分図形板部の外周壁が背景板部の内周壁に密着するので、これらの外周壁や内周壁が剥き出しになることがないから耐剥離性を高めることができる。加えて、敷き詰め作業の最後のほうに残った部分図形板部については、規定の固着位置を正確にとらえやすくなり、余裕を持って敷き詰め作業を行なうことができる。
【図面の簡単な説明】
【００１４】
【図１】本発明の一実施形態に係る図形表示パネルの外観図である。
【図２】前記図形表示パネルの組み立て前の状態を示す部品図である。
【図３】前記図形表示パネルの部分図形板部を敷き詰める状態を示す図であって、（ａ）は部分図形板部の敷き詰め初期の状態を示した平面図、（ｂ）は部分図形板部の敷き詰め途中の状態を示した平面図である。
【図４】前記図形表示パネルにおける全体の部分図形板部の配置位置を示した平面図である。
【図５】図形表示パネルにおける縦断面を示す図であって、（ａ）は図２におけるＢ−Ｂ線矢視断面図、（ｂ）は図１におけるＡ−Ａ線矢視断面図、（ｃ）は（ａ）または（ｂ）に対応する従来技術の断面図である。
【発明を実施するための形態】
【００１５】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る図形表示パネルの外観図、図２は図形表示パネルの組み立て前の状態を示す部品図である。
各図において、この実施形態に係る図形表示パネル１は、木質板材で構成された基板部２と、基板部２の上面中央部に表示される所定図形４を囲んで基板部２上に接着剤５Ａで固着された背景板部３と、背景板部３に囲まれた所定図形４の全体輪郭を表わして背景板部３の上面３Ｂよりも下向きに陥入して形成された凹溝部６と、所定図形４を複数に分割した部分図形をそれぞれ表わして形成された例えば２９個の部分図形板部Ｐ１〜Ｐ２９（図２および図４参照）と、部分図形板部Ｐ１〜Ｐ２９を凹溝部６の底面２Ａ（基板部２の上面）にそれぞれ固着する接着剤５と、から構成されている。
【００１６】
前記の基板部２は例えば中密度繊維板（ＭＤＦ）などで構成されている。但し、基板部２をＭＤＦ以外の材料で構成してもよい。前記の背景板部３は所定図形４の背景を示す平面形状を表わしており、無地一色のものでもよい。また、所定図形４は例えば某市町村指定のマスコットキャラクターを表わした図形である。但し、本発明に云う所定図形としては、前記例示のキャラクター図形に限るものでなく、例えばアニメ、絵画、写真などでも構わない。前記の部分図形板部Ｐ１〜Ｐ２９は、同種の色彩や模様が付された複数の部分図形の境界部７（図４参照）で切断された板状ピースである。これらの部分図形板部Ｐ１〜Ｐ２９は、凹溝部６の底面２Ａ（基板部２の上面）にほぼ隙間なく敷き詰められて接着剤５で固着される。背景板部３および部分図形板部Ｐ１〜Ｐ２９は、いずれもメラミン樹脂製板材で構成されている。
【００１７】
次に、上記した図形表示パネル１を組み立てる態様を説明する。この場合、予め背景板部３が基板部２の上面２Ａの周縁部に接着剤５Ａで固着されている（図２および図５（ａ）参照）。基板部２の厚さＴ１は例えば２．５ｍｍであり、背景板部３の厚さＴ２は例えば１ｍｍである。但し、これら例示の厚さＴ１，Ｔ２の値に、本発明は限定されない。また、部分図形板部Ｐ１〜Ｐ２９の下面ＰＡ，ＰＡ，ＰＡ，・・・および凹溝部６の底面（基板部２の露出した上面２Ａ）は、表面浄化処理ならび接着性向上化処理が済んだ状態にある。所定図形４はコンピュータの作図機能を用いて作成され、得られた所定図形４の図形データに基づいて、メラミン樹脂製板材がＮＣカッターなどで切断されて２９個の部分図形板部Ｐ１〜Ｐ２９にされている。前記のＮＣカッターの替わりに、例えばトムソン刃などで打ち抜いて切断するようにしても構わない。
【００１８】
部分図形板部Ｐ１〜Ｐ２９を凹溝部６に固着していくにあたり、一度に接着剤５を塗布される部分図形板部Ｐの数は、各部分図形板部Ｐの大きさや平面形状の複雑さにもよるが、塗布後に溶剤を揮発させるための堆積放置処理にかかる時間（３〜５分間）を考慮して、その時間内で凹溝部６内への敷き詰めと圧着作業を終えることのできる数とするのが望ましい。その数は特に限定されないが、例えば１０個程度である。そこで、これから接着に供せられる予定の、例えば部分図形板部Ｐ１〜Ｐ１１がスプレー作業用パネル上に天地反転して置かれる。そして、上向きになった部分図形板部Ｐ１〜Ｐ１１の下面ＰＡに、接着剤５の溶液がエアスプレーガンで均一に塗布される。接着剤５の溶液は合成ゴム系接着剤（例えばボンドＧ９９など）を溶剤で希釈したものであり、粘度は例えば５０００ｍＰａ・ｓ程度である。接着剤５の塗布後に３〜５分間ほど堆積放置して溶剤を揮発させる。このときの接着剤５の層の厚さＴ３（図５（ａ）参照）は例えば約２００μｍである。この例では、接着剤５と接着剤５Ａは同種のものを用いてある。前記の部分図形板部Ｐ１〜Ｐ１１は順次天地反転されて元の姿勢に戻され、図３（ａ）に示すように、凹溝部６内の規定の位置に逐次置かれて圧着される。引き続き、部分図形板部Ｐ１２〜Ｐ１５も、図３（ｂ）に示すように、部分図形板部Ｐ１〜Ｐ１１のときと同様の天地反転、接着剤塗布、堆積放置および規定位置への圧着といった各処理が施される。こうして、部分図形板部Ｐ１〜Ｐ１５は、図３（ａ）中の白抜き矢印に示されるように、背景板部３の内周壁３Ａ側から凹溝部６の平面視中央部に向かって順次敷き詰められていく。
【００１９】
その後、部分図形板部Ｐ１６〜Ｐ２９についても、部分図形板部Ｐ１〜Ｐ１５のときと同様の各処理が施されることにより、図４に示すように凹溝部６に順次敷き詰められていき、図形表示パネル１が完成する。尚、部分図形板部Ｐ１〜Ｐ２９の境界部７，８を分かりやすくさせるために、図４では各部分図形板部Ｐに色彩や模様を表わすハッチングを付していないが、実際の見た目は図１に示した所定図形４のようなイメージである。
【００２０】
この場合、部分図形板部Ｐ１〜Ｐ２９は、図５（ｂ）に示すように、それぞれの上面ＰＢ，ＰＢ，ＰＢ，・・・が背景板部３の上面３Ｂとほぼ同じ高さとなるように配置されている。すなわち、接着剤５の塗布量を許容範囲内で増減させて厚さＴ３を調整したり、部分図形板部Ｐ１〜Ｐ２９の下面ＰＡまたは凹溝部６の底面２Ａを研削したりすることにより、部分図形板部Ｐ１〜Ｐ２９の各上面ＰＢの高さを調整することが可能である。また、部分図形板部Ｐ１〜Ｐ２９については、隣り合う部分図形板部Ｐ，Ｐ間の境界部７、および部分図形板部Ｐと背景板部３の内周壁３Ａの間の境界部８を生じるが、これらの境界部７，８には、各部分図形板部Ｐの圧着時にはみ出した接着剤５が入り込んで、その隙間を埋めてしまう。従って、部分図形板部Ｐ１〜ｐ２９と背景板部３とが、あたかも１枚物のように見受けられるし、それぞれの耐剥離強度の向上化が図られる。上記のようにして得られた図形表示パネル１は、例えば幼稚園のチャイルドブース用のパーティションパネルとして使用し得る。但し、このパーティションパネル以外にも、テーブル天板の化粧板、掲示板あるいは看板などとして好適に用い得る。
【００２１】
上記したように、この実施形態の図形表示パネル１によれば、部分図形板部Ｐ１〜Ｐ２９が凹溝部６の底面２Ａに敷き詰められて接着剤５で固着されるとともに、部分図形板部Ｐ１〜Ｐ２９はそれぞれの上面ＰＢが背景板部３の上面３Ｂとほぼ同じ高さになるように配置されるので、キャラクター図形（所定図形４）および背景があたかも１枚物に描かれているような平面外観を呈する。また、キャラクター図形の最外郭縁（境界部８で示される）を成す部分図形板部Ｐ１，Ｐ２，Ｐ５，Ｐ６，Ｐ９，Ｐ１２，Ｐ１５は背景板部３の内周壁３Ａで被われるので、これら部分図形板部Ｐ１，Ｐ２，Ｐ５，Ｐ６，Ｐ９，Ｐ１２，Ｐ１５の外周壁に外部の物が接触干渉することがない。従って、剥離を防止して見栄えを長持ちさせることができる。
【００２２】
また、各部分図形板部Ｐ，Ｐ間および各部分図形板部Ｐと背景板部３の内周壁３Ａの間には、境界部７および境界部８が見られるので、これらの部分図形板部Ｐ１〜Ｐ２９で区画された同種の色彩や模様をはっきりと認識できるとともに、くっきりとしたキャラクター図形の外輪郭を視認することができる。また、背景板部３および部分図形板部Ｐ１〜Ｐ２９がメラミン樹脂製板材で構成されているので、表面硬度が高くて上面が傷つきにくく、耐久性が高くて個々の部分図形板部Ｐが曲がったり剥がれたりしにくい。加えて、部分図形板部Ｐ１〜Ｐ２９を固着する接着剤５の厚さＴ３は所要範囲内（２００μｍ）にされているので、凹溝部６への部分図形板部Ｐ１〜Ｐ２９の接着を確実に行なうことができ、段差などを生じない見栄えのよいパネル表面が得られる。
【００２３】
尚、上記の実施形態では、接着剤の塗布にスプレーガンを用いた例を示したが、本発明はそれに限定されるものでない。例えば、ハケ、ブラシ、ハンドローラ、スプレッダ、フロ−コースターまたはフローガンなどを用いて塗布しても構わない。
【００２４】
また、上記では、基板部２と背景板部３とを別構成にしてこれらを接着剤５Ａで固着するとともに、基板部２の上面２Ａの中央部を凹溝部６の底面としたが、本発明はそれに限らない。例えば、接着剤５Ａを省略し、基板部２と背景板部３を厚手のメラミン樹脂性板材で一体に構成し、その一体物の上面中央部を削って、下向きに陥入した凹溝部６を形成させたものも、本発明に含まれる。
【００２５】
また、上記の実施形態では、複数の部分図形板部として２９個の部分図形板部Ｐ１〜Ｐ２９を例示したが、本発明において、その分割数は２９個以外でも構わない。
そして、上記の実施形態では、基板部２および背景板部３の素材としてメラミン樹脂製板材を用いた例を示したが、本発明の基板部と背景板部は、メラミン樹脂以外の合成樹脂や木質材料でも、一定以上の強度および表面硬度を有するものであれば、使用しても差し支えない。
【００２６】
そうして、本発明は、上記した実施の形態に限定されるものではなく、本発明の分野における通常の知識を有する者であれば想到し得る、各種変形、修正を含む、本発明の要旨を逸脱しない範囲の設計変更があっても、本発明に含まれることは言うまでもない。
【符号の説明】
【００２７】
１    図形表示パネル
２    基板部
２Ａ  上面
３    背景板部
３Ａ  内周壁
３Ｂ  上面
４    所定図形
５    接着剤
６    凹溝部
８    境界部
Ｐ１〜Ｐ２９  部分図形板部
ＰＢ  上面
Ｔ３  厚さ
【図１】
2020192685.tif 000003
【図２】
2020192685.tif 000004
【図３】
2020192685.tif 000005
【図４】
2020192685.tif 000006
【図５】
2020192685.tif 000007